(57)【要約】      （修正有）【課題】装飾物を繰り返し回動させても、高い保持力を維持することができる装身具を提供する。【解決手段】一の装飾物５に他の装飾物１，３が回動可能に支持された装身具において、一の装飾物５に一端が固着される円柱状の芯棒１７と、この芯棒１７の他端側に同軸で螺設された雌ねじに螺合する鍔付きの雄ねじ１９とを備え、他の装飾物１，３には、芯棒又は雄ねじの胴部が嵌入される貫通孔３３，２９が形成される。この貫通孔に芯棒又は胴部が嵌入されるとともに、雄ねじ１９を螺合し、かつ、芯棒の外周側であって、一の装飾物と他の装飾物との間に、環状の弾性部材２１ａ、２１ｂ、２１ｃを挟持する。これによれば、弾性部材の弾性力が装飾物に作用するため、一又は他の装飾物を回動させた状態で所定の保持力を得ることができる。【選択図】図１
0003131873.tif 000002
【実用新案登録請求の範囲】
【請求項１】
一の装飾物に他の装飾物が回動可能に支持された装身具において、
前記一の装飾物に一端が固着される円柱状の芯棒と、該芯棒の他端側に同軸で螺設された雌ねじに螺合する鍔付きの雄ねじとを備え、
前記他の装飾物には、前記芯棒又は前記雄ねじの胴部が嵌入される貫通孔が形成され、該貫通孔に前記芯棒又は前記胴部が嵌入されるとともに、前記雄ねじを螺合し、かつ、前記芯棒の外周側であって、前記一の装飾物と前記他の装飾物との間に、環状の弾性部材が挟持されてなることを特徴とする装身具。
【請求項２】
一の装飾物に他の複数の装飾物が回動可能に支持された装身具において、
前記一の装飾物に一端が固着される円柱状の芯棒と、該芯棒の他端側に同軸で螺設された雌ねじに螺合する鍔付きの雄ねじとを備え、
前記他の装飾物には、前記芯棒又は前記雄ねじの胴部が嵌入される貫通孔が形成され、該貫通孔に前記芯棒又は前記胴部が嵌入されるとともに、前記雄ねじを螺合し、かつ、前記芯棒の外周側であって、前記一の装飾物と前記他の装飾物の間と、前記他の装飾物同士の間に、環状の弾性部材が挟持されてなることを特徴とする装身具。
【請求項３】
前記弾性部材は、ポリアセタール樹脂で形成されることを特徴とする請求項１又は２に記載の装身具。
【請求項４】
前記弾性部材の外周側には、環状の金属部材が配設されることを特徴とする請求項１乃至３のいずれかに記載の装身具。
【考案の詳細な説明】
【技術分野】
【０００１】
本考案は、回動可能に支持される装飾物を備えた装身具に関し、特に、複数の装飾物を回動させて保持する機構に関する。
【背景技術】
【０００２】
従来、ペンダント、ネックレス、イヤリング等に用いる装飾物において、例えば、色彩や装飾の異なる複数の装飾物を互いに固着し、或いは、装飾チェーン等で連結させて一体として形成する装身具が知られている。このような装身具は一定の定められた装飾形態を有し、その定められた形態から生じる装飾的効果を提供するものである。
【０００３】
これに対し、一の装飾形態だけでなく、異なる装飾形態に切り替えることにより、装飾的効果の変更を可能とする装身具が知られている。例えば、石座の上下面にそれぞれ外観の異なる宝石を取り付け、石座の貫通孔に挿通されたピンの両端にそれぞれリングの両端を固着してリングを回転可能に取り付けることにより、異なる二つの宝石を反転し、切り替えて使い分けることを可能にした装身具が開示されている（特許文献１参照。）。
【０００４】
【特許文献１】特開平６−２９２６０８号公報
【考案の開示】
【考案が解決しようとする課題】
【０００５】
このように装飾性の異なる複数の装飾物を備えた装身具において、例えば、装飾物同士を軸芯を介して回動可能に連結させ、所定の角度に回動させた状態を保持することができれば、装飾物にバリエーションを持たせることができる。ところが、特許文献１の技術を用いて装飾物を互いに連結する場合、装飾物同士を所定の角度まで回動させても、その状態を保持することができない。
【０００６】
これに対し、例えば、任意の装飾物に一端が固着された軸芯を他の装飾物の貫通孔に嵌め込むとともに、その軸芯の他端側に形成される雌ねじに鍔付きの雄ねじを締め込み、装飾物同士を押し付けることで、一定の保持力を得ることができる。しかし、装飾物は一般に貴金属等で形成されるため、互いに接触した状態で回動を繰り返すと、接触面が次第に摩耗して保持力が低下するおそれがある。
【０００７】
本考案は、装飾物を繰り返し回動させても、高い保持力を維持することができる装身具を提供することを課題とする。
【課題を解決するための手段】
【０００８】
本考案は、上記課題を解決するため、一の装飾物に他の装飾物が回動可能に支持された装身具において、一の装飾物に一端が固着される円柱状の芯棒と、この芯棒の他端側に同軸で螺設された雌ねじに螺合する鍔付きの雄ねじとを備え、他の装飾物には、芯棒又は雄ねじの胴部が嵌入される貫通孔が形成され、この貫通孔に芯棒又は胴部が嵌入されるとともに、雄ねじを螺合し、かつ、芯棒の外周側であって、一の装飾物と他の装飾物との間に、環状の弾性部材が挟持されてなることを特徴としている。
【０００９】
本考案によれば、他の装飾物は、弾性部材を押し付けた状態で芯棒等に支持されるため、例えば、一の装飾物には、その弾性部材の変形に応じた所定の弾性力が作用する。そのため、一の装飾物を回動させても、常にその状態を保持し得る保持力を得ることができる。また、一の装飾物と他の装飾物とが直接接することがないため、これらを繰り返し回動させても、金属製の装飾物に磨耗が生じることがなく、所定の保持力を長く維持することができる。
【００１０】
さらに、本考案は、一の装飾物に他の複数の装飾物が回動可能に支持された装身具において、一の装飾物に一端が固着される円柱状の芯棒と、この芯棒の他端側に同軸で螺設された雌ねじに螺合する鍔付きの雄ねじとを備え、他の装飾物には、芯棒又は雄ねじの胴部が嵌入される貫通孔が形成され、この貫通孔に芯棒又は胴部が嵌入されるとともに、雄ねじを螺合し、かつ、芯棒の外周側であって、一の装飾物と他の装飾物の間と、他の装飾物同士の間に、環状の弾性部材が挟持されてなることを特徴としている。
【００１１】
このように、他の装飾物を複数備える装身具においても、すべての装飾物に所定の弾性力が作用するため、それぞれの装飾物を独立に回動させても、それらの状態を保持することができる。
【００１２】
この場合において、弾性部材は、プラスチック、特に、ポリアセタール樹脂で形成されることが好ましい。一般に、ポリアセタール樹脂は、弾性特性、耐クリープ性、耐疲労性に優れ、良好な自己潤滑性を備えている。このため、本考案の弾性部材として用いれば、高い弾性力を生じるとともに、摩耗の進行を抑制することができ、好適に機能する。
【００１３】
また、弾性部材の外周側には、環状の金属部材が配設されることが好ましい。このように金属部材を設けることにより装飾物同士の隙間から弾性部材が視認されることを防ぐことができ、美感を保つことができる。
【考案の効果】
【００１４】
本考案の装身具によれば、装飾物を繰り返し回動させても、高い保持力を維持することができる。
【考案を実施するための最良の形態】
【００１５】
以下、本考案にかかる装身具の実施の形態について図面を用いて説明する。図１は、本考案を適用してなる装身具の連結部の構成を説明する断面図である。図２は、本考案を適用してなる装身具の一態様を示す外観図である。図３は、本考案を適用してなる装身具の他の態様を示す外観図である。
【００１６】
本実施の形態の装身具は、装飾性の異なる３つの装飾物（例えば、フープ構造）を回動可能に連結して構成され、任意の装飾物と一体で形成されたバチカンに装飾チェーンを挿通することにより、例えば、ペンダント、ネックレス、イヤリング等に用いることができる。
【００１７】
装飾物は、第１のフープ１，第２のフープ３，第３のフープ５からなり、いずれも、金、銀、白金等の任意の貴金属を用いて環状に形成される。各フープはその一端に形成される連結部７において他のフープと回動可能に連結される。第１のフープ１には、連結部７を介して装飾チェーン１１が挿通されるバチカン９が形成され、この第１のフープ１に隣接させて、第２のフープ３、第３のフープ５が順に連結される。
【００１８】
本実施の形態においては、第１のフープ１は、主として金属光沢を表出することを目的とし、宝石類等は施されていない。これに対し、第２のフープ３は、フープの表側（矢印ａ）の面に所定の間隔で宝石類１３が装着され、第３のフープ５は、フープの内周面に沿って宝石類１５が装着されている。連結部７の一面（表面）には、宝石類１６が装着されている。なお、各フープは、同じ材質で形成されていてもよいし、異なる材質で形成されていてもよい。
【００１９】
各フープは、連結部７において、中心線ｂを回転中心として回動するようになっている。図２は、各フープの回転位置を一致させた状態を表し、図３は、第１のフープ１を基準として、第２のフープ３と第３のフープ５をそれぞれ反対方向に同じ角度だけ回動させた状態を表している。このように各フープの配置は適宜定めることができる。
【００２０】
次に、本考案を適用した連結部７の構成について図１を用いて説明する。
【００２１】
図１の下方（矢印ａ）は、図２の表側を表している。連結部７は、円柱状の芯棒１７と、雄ねじ１９と、弾性部材２１ａ〜２１ｃと、ワッシャ２３ａ，２３ｂを備えている。第３のフープ５の裏側の面、つまり第１のフープ１側の面には、段付きの凹部が形成され、この凹部は、芯棒１７が固着される取付面２５の周囲に環状の弾性部材２１ｂが配置される取付面２７を有している。芯棒１７は、一方の端面が取付面２５にろう付けされるとともに、他方の端面には、同軸で雌ねじが形成されている。第２のフープ３には、段付き孔が形成され、この段付き孔は、芯棒１７が挿通される貫通孔２９の周囲に環状の弾性部材２１ａが配置される取付面３１を有している。また第１のフープ１には、段付き孔が形成され、この段付き孔は、雄ねじ１９の胴部が挿通される貫通孔３３の周囲に鍔部３５を収納する収納部３７を有している。また弾性部材２１ａ，２１ｂの外周側には、これらを取り囲むようにそれぞれ環状のワッシャ２３ａ，２３ｂが配置されている。このワッシャ２３は、フープ間の隙間から弾性部材２１が視認されるのを防ぐためのものである。また第１のフープ１の収納部３７と雄ねじ１９の鍔部３５との間には、環状の弾性部材２１ｃが設けられている。
【００２２】
芯棒１７、雄ねじ１９、ワッシャ２３を形成する材料としては、フープと同様、金、銀、白金等の貴金属類が好適に用いられるが、その他の金属材料、例えば、ステンレスなどの合金を用いてもよい。
【００２３】
弾性部材２１は、弾性力を有する材料として、例えば、熱可塑性樹脂、特に、ポリアセタール樹脂などの重合タイプを成形、加工して形成される。ポリアセタール樹脂は、弾性特性、耐クリープ性、耐疲労性、耐溶剤性等に優れ、良好な自己潤滑性を備えている。このため、高い弾性力を発揮するとともに、摺動性がよく、摩耗の進行を抑制できるため、本実施の形態の弾性部材２１として好適に機能する。ポリアセタール樹脂としては、例えば、デュポン社製の「デルリン（登録商標）」を用いることができる。
【００２４】
次に、このように構成される連結部７の組み立て手順の一例を説明する。
【００２５】
まず、第３のフープ５に固着された芯棒１７の周囲に弾性部材２１ｂを配置し、その周囲にワッシャ２３ｂを配置する。次に、第２のフープ３の貫通孔２９に芯棒１７を挿通させ、この挿通された芯棒１７の周囲に弾性部材２１ａを配置し、その周囲にワッシャ２３ａを配置する。次に、弾性部材２１ｃを装着した雄ねじ１９を第１のフープ１の貫通孔３３に挿通し、この雄ねじ１９を芯棒１７の雌ねじに締め込む。なお、雄ねじ１９を締め込む量は、芯棒１７の長さに規制される。
【００２６】
ここで、弾性部材２１ａ，２１ｂの各フープに設置された状態（雄ねじ１９を締め込む前）の設置高さは、少なくとも、ワッシャ２３ａ，２３ｂの設置高さよりも高くなっている。このため、雄ねじ１９を締め込んでいくと、各フープはワッシャ２３と接することなく、弾性部材２１をその厚み方向で押圧することになる。このため、弾性部材２１の押圧による弾性変形に応じた所定の大きさの弾性力が上下のフープに作用する。すなわち、雄ねじ１９の締め込み量を調節することにより、各フープを保持する保持力の調節が可能となる。
【００２７】
一方、芯棒１７に嵌め込まれた雄ねじ１９は、鍔部３５の裏面（背面）が第１のフープ１の面と同一面上、或いは、その面よりも低い位置となり、鍔部３５が収納部３７の空間に収まった状態となる。ここで、雄ねじ１９は、適宜、回転防止の措置が施され、例えば、周知の接着剤で固定される。
【００２８】
本実施の形態では、第２のフープ３の貫通孔２９に芯棒１７が挿通され、第１のフープ１の貫通孔３３に雄ねじ１９の胴部が挿通される例を説明したが、これに限られるものではなく、例えば、第１のフープの貫通孔３３に芯棒１７が挿通するように形成してもよい。要は、雄ねじ１９の鍔部３５が第１のフープ１を締め付けるように構成されていればよい。
【００２９】
以上述べたように、本実施の形態によれば、装飾物として複数のフープを備えた装身具において、軸芯となる芯棒１７の外周側に弾性部材２１を配置し、その弾性部材をフープ間で押圧させて各フープを支持するようにしているため、それぞれのフープを任意の位置に回動させても、常にその状態を所定の保持力で保持することができる。またフープ同士が直接接することがないため、繰り返し回動させても、摩耗を生じることがなく、所定の保持力を長く維持することができる。
【００３０】
また本実施の形態では、装飾物として３つのフープを備えた構成を例に説明したが、例えば、２つや４つ以上のフープを備えた構成においても、本考案を適用すれば、同様の効果を得ることができる。また本実施の形態では、フープ同士の隙間から弾性部材が見えないように、弾性部材の外周側に例えば貴金属製の環状の部材を配置しているため、美感を損なうことがない。
【００３１】
本実施の形態の装身具は、複数の装飾物をそれぞれ回動させて任意の位置に保持することができるため、使用者の趣向に応じて様々な装飾性のバリエーションを表出することができ、装飾的価値を高めることができる。
【図面の簡単な説明】
【００３２】
【図１】本考案を適用してなる装身具の連結部の構成を説明する断面図である。
【図２】本考案を適用してなる装身具の一態様を示す外観図である。
【図３】本考案を適用してなる装身具の他の態様を示す外観図である。
【符号の説明】
【００３３】
１  第１のフープ
３  第２のフープ
５  第３のフープ
７  連結部
９  バチカン
１７  芯棒
１９  雄ねじ
２１ａ，２１ｂ，２１ｃ  弾性部材
２３ａ，２３ｂ，２３ｃ  ワッシャ
【図１】
0003131873.tif 000003
【図２】
0003131873.tif 000004
【図３】
0003131873.tif 000005